(57)【要約】【課題】軽量で反りにくい風呂蓋を提供する。【解決手段】風呂蓋は、圧縮永久ひずみが２０％以下の発泡樹脂からなる薄板状の芯材と、前記芯材の表裏面を被覆して、外力を加えると弾性変形する樹脂シートまたは樹脂フィルムからなる被覆樹脂と、前記被覆樹脂の側面及び前記芯材の側面を被覆して、浴槽内と浴室内の温度差によって前記芯材を反らそうとする応力に対して前記芯材の周端縁部が反らないように前記芯材を支える縁材と、からなる。【選択図】図２
2014195595.tif 000002
【特許請求の範囲】
【請求項１】
圧縮永久ひずみが２０％以下の発泡樹脂からなる薄板状の芯材と、
前記芯材の表裏面を被覆して、外力を加えると弾性変形する樹脂シートまたは樹脂フィルムからなる被覆樹脂と、
前記被覆樹脂の側面及び前記芯材の側面を被覆して、浴槽内と浴室内の温度差によって前記芯材を反らそうとする応力に対して前記芯材の周端縁部が反らないように前記芯材を支える縁材と、
からなる風呂蓋。
【請求項２】
前記芯材と前記被覆樹脂とは、密着するように接着されている請求項１記載の風呂蓋。
【請求項３】
前記縁材において、前記芯材の表裏の厚み方向と同じ方向の長さよりも、前記芯材の周囲面に対して垂直な方向の長さが短い請求項１または２に記載の風呂蓋。
【発明の詳細な説明】
【技術分野】
【０００１】
本発明は、浴槽の上に載せる風呂蓋に関する。
【背景技術】
【０００２】
平板状の風呂蓋は、保温性を高めるために熱で反りにくくなっており、主として、発泡樹脂等の断熱素材からなる芯材と、芯材の表裏面を被覆する硬質樹脂製の化粧板と、芯材と化粧板の間に挟まれて風呂蓋を反らないようにする補強材と、芯材の周囲を被覆する縁材（エッジプロテクター）とから構成されている。
【０００３】
例えば、特許文献１には、樹脂発泡体の両面に、補強材として延伸オレフィン系樹脂シートを積層し、さらにポリプロピレン系樹脂板を積層した風呂蓋が開示されている。
【先行技術文献】
【特許文献】
【０００４】
【特許文献１】特開２００６−１３０２４３号公報
【発明の概要】
【発明が解決しようとする課題】
【０００５】
従来、浴槽内と浴室内の温度差によって風呂蓋が反らないようにする強度を、化粧板や補強材に頼っているが、化粧板や補強材は、芯材の表裏面と同じ大きさ（面積）であるため、風呂蓋の軽量化の障害となる。また、芯材の表裏面に補強用の部材を重ねると、製造工程が増えてしまう。
【０００６】
本発明は、軽量で周端縁部が反りにくい風呂蓋を提供する。
【課題を解決するための手段】
【０００７】
第１の発明は、圧縮永久ひずみが２０％以下の発泡樹脂からなる薄板状の芯材と、前記芯材の表裏面を被覆して、外力を加えると弾性変形する樹脂シートまたは樹脂フィルムからなる被覆樹脂と、前記被覆樹脂の側面及び前記芯材の側面を被覆して、浴槽内と浴室内の温度差によって前記芯材を反らそうとする応力に対して前記芯材の周端縁部が反らないように前記芯材を支える縁材と、からなる風呂蓋である。
【０００８】
第１の発明によれば、芯材の表裏面を樹脂シートまたは樹脂フィルムからなる被覆樹脂で覆っている。また、芯材の反りを抑制する縁材を芯材の周囲面に設けている。このため、芯材の表裏面に、その表裏面と同じ面積の硬質樹脂製化粧板や補強用部材を設ける構造に比べて、風呂蓋は軽量になり、持ち運び時などの取り扱い性が向上する。
また、芯材は圧縮永久ひずみが２０％以下の発泡樹脂からなるので、使用中に風呂蓋にかかる程度の外力に対して塑性変形や破壊することがなく、弾性変形するにとどまる。このため、芯材は外力によって一時的に変形しても、すぐに元に戻り、風呂蓋が局部的にへこんだままになったり、大きく変形することがない。
また、被覆樹脂も、外力を加えると、芯材１１に追随して弾性変形する弾性を有する。このため、被覆樹脂は、外力によってへこんだ芯材が元に戻る弾性変形を妨げない。
浴槽に湯が貯まった状態で浴槽の開口を風呂蓋で蓋をした場合に、浴槽内と浴室内の温度差により、風呂蓋が凹状に反ろうとする応力が働いても、浴槽の風呂蓋載置面（浴槽リム上面）に載置された芯材の周端縁部が反らないように縁材が芯材を支えているので、風呂蓋と、浴槽の風呂蓋載置面との間に生じる隙間を抑制でき、高い保温能力を発揮することができる。
【０００９】
第２の発明は、第１の発明において、前記芯材と前記被覆樹脂とは、密着するように接着されていることを特徴とする。
【００１０】
第２の発明によれば、芯材と被覆樹脂との間に空気が入り込まず、風呂蓋の表面にしわができない。風呂蓋の表面を凹凸のない平坦な表面にすることができ、見栄えを損ねない。また、浴槽の開口を覆った使用時、湯の温度で風呂蓋内の空気が膨張して被覆樹脂が膨らむことがない。よって、見栄えがよく、さらに、風呂蓋が載置される浴槽リムの上面との間に隙間ができることもなく、高い保温性を維持することができる。
【００１１】
第３の発明は、第１または第２の発明において、前記縁材において、前記芯材の表裏の厚み方向と同じ方向の長さよりも、前記芯材の周囲面に対して垂直な方向の長さが短いことを特徴とする。
【００１２】
第３の発明によれば、芯材の表裏面に広い面積にわたって補強部材を設けなくても、芯材の周囲面に断面縦長形状の縁材を設けるだけで、芯材の周端縁部の反りを抑制することができる。また、縁材が薄くなるので、さらに軽量化できる。
【発明の効果】
【００１３】
本発明によれば、取り扱い性及び保温性に優れた風呂蓋が提供される。
【図面の簡単な説明】
【００１４】
【図１】実施形態の風呂蓋の模式平面図。
【図２】（ａ）は、実施形態の風呂蓋の模式斜視図であり、（ｂ）は、図２（ａ）におけるＡ−Ａ断面図。
【発明を実施するための形態】
【００１５】
以下、図面を参照し、実施形態について説明する。各図面中、同じ要素には同じ符号を付している。
【００１６】
図１は、実施形態の風呂蓋１の模式平面図である。
【００１７】
風呂蓋１は、浴槽の開口を塞いで浴槽内に貯留された湯の熱が外へ逃げることを防ぐ。上方からみたときの平面視において、風呂蓋１は、例えば略矩形状に形成され、浴槽のリムの上面に渡されるように配置される。
【００１８】
１枚または複数枚の風呂蓋１によって、浴槽の開口の全体が塞がれる。図１に表した例では、２枚の風呂蓋１が浴槽の長手方向に並べて配置され、これらの風呂蓋１によって浴槽の開口の全体が覆われる。
【００１９】
図２（ａ）は、実施形態の風呂蓋１の模式斜視図であり、図２（ｂ）は、図２（ａ）におけるＡ−Ａ断面図である。
【００２０】
風呂蓋１は、薄板状の芯材１１と、芯材１１の表裏面を被覆している被覆樹脂１２と、被覆樹脂１２の側面及び芯材１１の側面を被覆している縁材１４と、からなる。
【００２１】
芯材１１は、例えば平面形状が略矩形状の薄板状に形成され、表面、その反対側の裏面、および芯材１１の外形輪郭線に沿って形成された側面（周囲面）を有する。
【００２２】
芯材１１は、外力を加えると弾性変形する発泡樹脂からなる。芯材１１は、例えば、JIS K6767で規定された測定方法によって算出された圧縮永久ひずみが２０％以下の発泡樹脂からなる。圧縮永久ひずみは、材料に荷重を負荷した後、その荷重を除去したときに材料に残ったひずみである。
【００２３】
圧縮永久ひずみが２０％以下の発泡樹脂として、ポリプロピレン、ポリエチレン、エチレン酢酸ビニル共重合体などのポリオレフィン系樹脂、軟質ウレタンフォーム、ポリスチレン−ポリオレフィン複合樹脂発泡体が挙げられる。例えば、３０〜６０倍率でビーズ発泡させたポリプロピレン（ＥＰＰ）の圧縮永久ひずみは、８％〜１１％程度である。
一方、圧縮永久ひずみが２０％を超える発泡樹脂として、硬質ウレタンフォーム、押出発泡あるいは発泡ビーズ法で発泡させたポリスチレン系樹脂が挙げられる。例えば、３０〜６０倍率でビーズ発泡させたポリスチレン（ＥＰＳ）の圧縮永久ひずみは、２１％〜２４％程度である。これらの圧縮永久ひずみが２０％を超える発泡樹脂で芯材１１を成形すると、芯材１１に生じた凹みが元に戻らず、風呂蓋１の表裏面に凹凸が発生するので、風呂蓋には相応しくない。
【００２４】
被覆樹脂１２は、芯材１１の表裏面を被覆している。芯材１１の表裏面は、被覆樹脂１２で被覆され、外部に露出していない。被覆樹脂１２は、芯材１１の表裏面を保護し、また化粧面として機能する。
【００２５】
被覆樹脂１２は、芯材１１よりも薄く、例えば、ポリプロピレン、ポリエチレンなどのポリオレフィン系の樹脂シートまたは樹脂フィルムからなる。被覆樹脂１２は、外力を加えると弾性変形する弾性を有する。また、被覆樹脂１２は、非透水性を有する。
【００２６】
被覆樹脂１２は芯材１１の表裏面に接着され、芯材１１の表裏面と被覆樹脂１２とは密着している。このため、芯材１１と被覆樹脂１２との間に空気が入り込まず、風呂蓋１の表面にしわができない。風呂蓋１の表面を凹凸のない平坦な表面にすることができ、見栄えを損ねない。
【００２７】
また、浴槽の開口を覆った使用時、湯の温度で風呂蓋１内の空気が膨張して被覆樹脂１２が膨らむことがない。よって、見栄えがよく、さらに、風呂蓋１が載置される浴槽リムの上面との間に隙間ができることもなく、高い保温性を維持することができる。
【００２８】
縁材１４は、被覆樹脂１２の側面及び芯材１１の側面を被覆している。被覆樹脂１２の側面及び芯材１１の側面は、縁材１４で被覆され、外部に露出していない。また、縁材１４は、被覆樹脂１２の外縁部から芯材１１の側面にかけての角部を覆っている。
【００２９】
縁材１４は、例えば、ポリプロピレン、ポリエチレンなどのポリオレフィン系の樹脂からなる。
【００３０】
縁材１４は、芯材１１の側面（周囲面）に沿って設けられ、芯材１１の側面を覆う側面部１５を有する。また、縁材１４は、被覆樹脂１２の外縁部を覆うつば部１６を有する。
【００３１】
つば部１６は、側面部１５の上端及び下端から、芯材１１の表裏面に対して平行な方向に張り出すように形成されている。
【００３２】
縁材１４は、芯材１１の周囲面を連続して囲み、浴槽内と浴室内の温度差によって芯材１１を反らそうとする応力に対して、浴槽リムの上に載置される芯材１１の周端縁部が反らないように芯材１１を支えている（補強している）。
【００３３】
実施形態によれば、芯材１１の表裏面を樹脂シートまたは樹脂フィルムからなる被覆樹脂１２で覆っている。また、芯材１１の周端縁部の反りを抑制する縁材１４を、芯材１１の周囲面に設けている。
【００３４】
このため、芯材１１の表裏面に、その表裏面と同じ面積の硬質樹脂製化粧板や補強用部材を設ける構造に比べて、実施形態の風呂蓋１は軽量になり、持ち運び時などの取り扱い性が向上する。
【００３５】
また、芯材１１は圧縮永久ひずみが２０％以下の発泡樹脂からなるので、使用中に風呂蓋１にかかる程度の外力に対して塑性変形や破壊することがなく、弾性変形するにとどまる。このため、芯材１１は外力によって一時的に変形しても、すぐに元に戻り、風呂蓋１が局部的にへこんだままになったり、大きく変形することがない。
【００３６】
また、被覆樹脂１２も、外力を加えると弾性変形する弾性を有する。このため、被覆樹脂１２は、外力によってへこんだ芯材１１が元に戻る弾性変形を妨げない。
【００３７】
浴槽に湯が貯まった状態で浴槽の開口を風呂蓋１で蓋をした場合に、浴槽内と浴室内の温度差により、風呂蓋１が凹状に反ろうとする応力が働いても、浴槽の風呂蓋載置面（浴槽リム上面）に載置された芯材１１の周端縁部が反らないように縁材１４が芯材１１を支えているので、風呂蓋１と、浴槽の風呂蓋載置面との間に生じる隙間を抑制でき、高い保温能力を発揮することができる。
【００３８】
縁材１４において、芯材１１の表裏の厚み方向と同じ方向の長さａよりも、芯材１１の周囲面に対して垂直な方向の長さｂが短い。すなわち、つば部１６における芯材１１の表裏面に対して平行な方向の幅ｂは、側面部１５における周囲長に対して垂直な方向の幅ａよりも小さい。
【００３９】
芯材１１の表裏面に広い面積にわたって補強部材を設けなくても、芯材１１の周囲面に断面縦長形状の縁材１４を設けるだけで、芯材１１の周端縁部の反りを抑制することができる。また、縁材１４が薄くなるので、さらに軽量化できる。
【００４０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４１】
１…風呂蓋、１１…芯材、１２…被覆樹脂、１４…縁材
【図１】
2014195595.tif 000003
【図２】
2014195595.tif 000004